(57)【要約】【課題】コマ玩具を意図した位置及び方向に発射することを可能とするコマ玩具セットを提供する。【解決手段】コマ玩具１１と、前記コマ玩具１１を回転させて発射するためのコマ玩具発射装置２０と、を備えたコマ玩具セット１０であって、前記コマ玩具１１は、回転軸１２ｂを備えたコマ本体１２と、前記回転軸１２ｂに回転可能に取り付けられた円板部１３と、を備え、前記コマ玩具発射装置２０は、前記コマ本体１２に回転力を付与する回転力付与手段３１と、前記円板部１３を保持するための円板保持手段２４と、前記円板保持手段２４に保持された前記円板部１３を押し出して前記円板保持手段２４から離脱させる円板部押出手段２５と、を備える。【選択図】図２
2014090952.tif 000002
【特許請求の範囲】
【請求項１】
コマ玩具と、前記コマ玩具を回転させて発射するためのコマ玩具発射装置と、を備えたコマ玩具セットであって、
前記コマ玩具は、回転軸を備えたコマ本体と、前記回転軸に回転可能に取り付けられた円板部と、を備え、
前記コマ玩具発射装置は、前記コマ本体に回転力を付与する回転力付与手段と、前記円板部を保持するための円板保持手段と、前記円板保持手段に保持された前記円板部を押し出して前記円板保持手段から離脱させる円板部押出手段と、を備えることを特徴とする、コマ玩具セット。
【請求項２】
前記円板部保持手段は、前記円板部の外周を保持するＣ字状部と、前記Ｃ字状部の両端部から前記円板部の離脱方向に延設されたガイド部と、を備えていることを特徴とする、請求項１記載のコマ玩具セット。
【請求項３】
前記Ｃ字状部には、前記円板部を上下から挟持するための上部フランジと下部フランジとが設けられていることを特徴とする、請求項２記載のコマ玩具セット。
【請求項４】
前記コマ本体は、前記回転軸を中心とするピニオンギアを備えるとともに、
前記コマ玩具発射装置は、前記回転力付与手段としてのラックギアを備えており、
前記ラックギアが前記ピニオンギアに噛合することで前記コマ本体に回転力を付与可能であることを特徴とする、請求項１〜３のいずれかに記載のコマ玩具セット。
【発明の詳細な説明】
【技術分野】
【０００１】
この発明は、コマ発射装置によってコマを回転させて発射することができるコマ玩具セットに関する。
【背景技術】
【０００２】
従来、この種のコマ玩具セットとして、コマ発射装置にコマ玩具をセットした上でコマ玩具を回転させ、その回転力によってコマ玩具をコマ発射装置から発射させるようにしたものが知られている。
【０００３】
例えば、特許文献１には、発射装置本体の装着部にコマ玩具を装着した後、発射装置本体にベルト体を差し込み、勢い良くベルト体を引き抜くと、発射装置本体の内部の駆動装置が作動して装着部が回転し、回転力を与えられたコマ玩具が発射されるコマ玩具発射装置が開示されている。
【先行技術文献】
【特許文献】
【０００４】
【特許文献１】実用新案登録第３１６０６５８号公報
【発明の概要】
【発明が解決しようとする課題】
【０００５】
しかし、上記した従来のコマ玩具発射装置では、コマ玩具に回転力が付与されると同時に、付与された回転力によってコマ玩具が発射装置から離脱して発射されるものであったため、コマ玩具を意図した位置及び方向に発射することが困難であった。
【０００６】
そこで、本発明は、コマ玩具を意図した位置及び方向に発射することを可能とするコマ玩具セットを提供することを課題とする。
【課題を解決するための手段】
【０００７】
本発明は、上記した課題を解決するためになされたものであり、以下を特徴とする。
【０００８】
（請求項１）
請求項１に記載のコマ玩具セットは、コマ玩具と、前記コマ玩具を回転させて発射するためのコマ玩具発射装置と、を備えたコマ玩具セットであって、前記コマ玩具は、回転軸を備えたコマ本体と、前記回転軸に回転可能に取り付けられた円板部と、を備え、前記コマ玩具発射装置は、前記コマ本体に回転力を付与する回転力付与手段と、前記円板部を保持するための円板保持手段と、前記円板保持手段に保持された前記円板部を押し出して前記円板保持手段から離脱させる円板部押出手段と、を備えることを特徴とする。
【０００９】
（請求項２）
請求項２に記載の発明は、上記した請求項１記載の発明の特徴点に加え、以下の点を特徴とする。
【００１０】
すなわち、前記円板部保持手段は、前記円板部の外周を保持するＣ字状部と、前記Ｃ字状部の両端部から前記円板部の離脱方向に延設されたガイド部と、を備えていることを特徴とする。
【００１１】
（請求項３）
請求項３に記載の発明は、上記した請求項２記載の発明の特徴点に加え、以下の点を特徴とする。
【００１２】
すなわち、前記Ｃ字状部には、前記円板部を上下から挟持するための上部フランジと下部フランジとが設けられていることを特徴とする。
【００１３】
（請求項４）
請求項４に記載の発明は、上記した請求項１〜３のいずれかに記載の発明の特徴点に加え、以下の点を特徴とする。
【００１４】
すなわち、前記コマ本体は、前記回転軸を中心とするピニオンギアを備えるとともに、前記コマ玩具発射装置は、前記回転力付与手段としてのラックギアを備えており、前記ラックギアが前記ピニオンギアに噛合することで前記コマ本体に回転力を付与可能であることを特徴とする。
【発明の効果】
【００１５】
請求項１に記載の発明は上記の通りであり、コマ玩具発射装置は、コマ本体に回転力を付与する回転力付与手段と、円板部を保持するための円板保持手段と、円板保持手段に保持された円板部を押し出して円板保持手段から離脱させる円板部押出手段と、を備えている。このため、円板保持手段により円板部を保持した状態で回転力付与手段で回転力を付与し、その後に円板部押出手段により円板部を押し出して円板保持手段から離脱させることで、回転力の付与後にコマ玩具を発射することができるので、コマ玩具を意図した位置及び方向に狙い澄まして発射することができる。
【００１６】
また、円板部はコマ本体とは別体で回転可能に設けられているため、円板保持手段により円板部を保持した状態であってもコマ本体の回転を妨げることがないように形成されている。しかも、円板部押出手段は円板部を押し出すようになっており、言い換えるとコマ本体に接触しないので、コマ本体の回転力を弱めることなくコマ玩具を発射することができる。
【００１７】
また、請求項２に記載の発明は上記の通りであり、前記円板部保持手段は、前記円板部の外周を保持するＣ字状部と、前記Ｃ字状部の両端部から前記円板部の離脱方向に延設されたガイド部と、を備えている。このため、ガイド部によってコマ玩具が発射方向に誘導されるので、コマ玩具をまっすぐに意図した方向に発射することができる。
【００１８】
また、請求項３に記載の発明は上記の通りであり、前記Ｃ字状部には、前記円板部を上下から挟持するための上部フランジと下部フランジとが設けられている。このため、円板部を上部フランジと下部フランジとで確実に保持することができる。
【００１９】
なお、ガイド部に上部フランジを設けるようにすれば、Ｃ字状部から外れたコマ玩具が上方向に抜けようとする力を抑え込むことができるので、コマ玩具をまっすぐに前方向に発射することができる。
【００２０】
また、上部フランジは、Ｃ字状部の全周に渡って設けるのではなく、内周の一部に設けるようにしてもよい。このように形成すれば、コマ玩具を上から装着する際に嵌め込み易くすることができる。また、上部フランジと下部フランジとが上下に重ならないように配置すれば、射出成型によって成形した挟持部材を金型から抜く際にフランジ部が問題とならないようにすることができる。
【００２１】
また、請求項４に記載の発明は上記の通りであり、コマ玩具発射装置のラックギアがコマ本体のピニオンギアに噛合した状態で操作されることで前記コマ本体に回転力を付与可能であるため、シンプルな構成で上記したような構成を実現することができる。
【図面の簡単な説明】
【００２２】
【図１】コマ玩具と発射台の斜視図である。
【図２】コマ玩具をコマ玩具発射装置に装着した状態の斜視図である。
【図３】コマ玩具の（ａ）正面図（ｂ）底面図である。
【図４】発射台の（ａ）平面図（ｂ）正面図である。
【図５】発射台の斜視図である。
【図６】発射台の分解斜視図である。
【図７】挟持部材の（ａ）平面図（ｂ）正面図（ｃ）底面図である。
【図８】コマ玩具を発射台に装着した状態の正面図である。
【図９】スライドバーの作動を説明する図であって、（ａ）操作前の平面図（ｂ）操作後の平面図である。
【発明を実施するための形態】
【００２３】
本発明の実施形態について、図を参照しながら説明する。
【００２４】
本実施形態に係るコマ玩具セット１０は、図１及び図２に示すように、コマ玩具１１と、このコマ玩具１１を回転させて発射するためのコマ玩具発射装置２０と、を備えている。
【００２５】
コマ玩具１１は、図３に示すように、回転軸１２ｂを備えたコマ本体１２と、回転軸１２ｂに回転可能に取り付けられた円板部１３と、を備えている。
【００２６】
コマ本体１２は、通常のコマ形状とほぼ同様であり、円盤状の頭部１２ａの下面中心から下方に一体的に回転軸１２ｂを設けたものである。なお、回転軸１２ｂの下部周面には、回転軸１２ｂを中心とするピニオンギア１２ｃが一体的に形成されている。
【００２７】
円板部１３は、中心に貫通孔を形成した円形部材であり、中心の貫通孔にコマ本体１２の回転軸１２ｂを貫通させることで、コマ本体１２に回転可能に取り付けられている。この円板部１３は、図３（ａ）に示すように、コマ本体１２の頭部１２ａとピニオンギア１２ｃとの間に配置されている。
【００２８】
コマ玩具発射装置２０は、コマ玩具１１を装着可能に形成された発射台２１と、発射台２１に対して挿抜操作されるベルト体３０と、を備えている。
【００２９】
ベルト体３０は、図２に示すように、ラックギア３１を形成したベルトの一端にリング状の取っ手３２を設けたものである。このラックギア３１はコマ本体１２に回転力を付与する回転力付与手段として設けられている。このラックギア３１は、発射台２１にコマ玩具１１を装着した状態で、先端部３３を発射台２１のラック挿入部２２ｂ（図６参照）から挿入することで、コマ玩具１１のピニオンギア１２ｃに噛合するように形成されている。そして、このようにラックギア３１とピニオンギア１２ｃとが噛合した状態で取っ手３２に指を引っ掛けてベルト体３０を勢いよく引き抜くことで、コマ本体１２に回転力を付与することができるように形成されている。
【００３０】
発射台２１は、図４に示すように、コマ玩具１１を装着するための設置開口部２１ｃを備えたコマ玩具保持部２１ｂと、コマ玩具保持部２１ｂの側方から突出して設けられたハンドル部２１ａと、を連設して形成したものである。設置開口部２１ｃは、上方及び前方を開放した形状となっており、上方からコマ玩具１１を押し込んで嵌合固定できるように形成されている（図１及び図２参照）。また、コマ玩具保持部２１ｂの後方には、スライドバー２５が進退可能に突出しており、スライドバー２５を押し込み操作することでコマ玩具１１を押し出して発射できるように形成されている。
【００３１】
この発射台２１は、図６に示すように、上カバー部材２２と、下カバー部材２３と、挟持部材２４と、スライドバー２５と、付勢部材２６と、固定用部材２７と、が組み合わされて形成されている。
【００３２】
上カバー部材２２及び下カバー部材２３は、図６に示すように、上下に接合固定されることで発射台２１の外殻形状をなすものであり、内部に他の部材を収容可能となっている。なお、上カバー部材２２には、設置開口部２１ｃを形成するために切欠部２２ａが形成されている。
【００３３】
挟持部材２４は、コマ玩具１１の円板部１３を保持するための円板保持手段として設けられるものであり、図７に示すように、平面視Ｃ字形のＣ字状部２４ａと、Ｃ字状部２４ａの両端部から前方に平行に延設されたガイド部２４ｄと、Ｃ字状部２４ａの後方に設けられた固定部２４ｅと、を備えている。
【００３４】
Ｃ字状部２４ａは、コマ玩具１１の円板部１３の外周を保持するためのものであり、このＣ字状部２４ａの内周側には、円板部１３を上下から挟持するための上部フランジ２４ｂと下部フランジ２４ｃとが設けられている。
【００３５】
なお、上部フランジ２４ｂの上面には内周方向に行くに従って下方に傾斜する傾斜面２４ｆが形成されており、コマ玩具１１を上から押し込んだときに、この傾斜面２４ｆにコマ玩具１１の円板部１３が当接して上部フランジ２４ｂを押し広げるように作用する。このため、コマ玩具１１を上から押し込んだときにＣ字状部２４ａが拡開方向に弾性変形し、円板部１３を嵌め込むことができるように形成されている。
【００３６】
また、図５に示すように、上部フランジ２４ｂは、Ｃ字状部２４ａの全周に渡って設けられるのではなく、内周の一部に設けられ、特に前方に偏って設けられている。このため、上部フランジ２４ｂをＣ字状部２４ａの全周に渡って設けた場合と比較して、Ｃ字状部２４ａを押し広げる幅が小さくても円板部１３を嵌め込み可能となっており、コマ玩具１１を容易に装着できるようになっている。また、上部フランジ２４ｂと下部フランジ２４ｃとが上下に重ならないような位置に設けられており、挟持部材２４を射出成型によって成形して金型から抜く際に、フランジ部が問題とならないように形成されている。
【００３７】
ガイド部２４ｄは、Ｃ字状部２４ａから離脱する円板部１３がまっすぐ前方に押し出されるようにガイドするための部位である。このガイド部２４ｄは、図７に示すように、Ｃ字状部２４ａの開口両端部から略平行に前方（すなわち円板部１３の離脱方向）に突出して設けられている。なお、このガイド部２４ｄには、円板部１３の上面に沿うように上部フランジ２４ｂが設けられている。このため、Ｃ字状部２４ａから離脱した円板部１３が上方向に抜けようとする力を抑え込むことができるようになっており、コマ玩具１１をまっすぐに前方向に発射することができるようになっている。
【００３８】
固定部２４ｅは、挟持部材２４を発射台２１に固定するための部位である。この固定部２４ｅは、後述する固定用部材２７の挟持部材固定溝２７ａに嵌合するように形成されている。
【００３９】
スライドバー２５は、挟持部材２４に保持された円板部１３を押し出して挟持部材２４から離脱させる円板部押出手段を構成するものであり、図６に示すような板状部材である。このスライドバー２５は、上カバー部材２２及び下カバー部材２３の内部において前後に摺動可能に配置される。
【００４０】
付勢部材２６は、スライドバー２５を付勢するための圧縮バネである。この付勢部材２６は、後述する固定用部材２７の付勢部材配置溝２７ｂにおいて伸縮自在に配置される。
【００４１】
この付勢部材２６によって、スライドバー２５は常時後方へと付勢されている。このように後方へと付勢されたスライドバー２５は、図９（ａ）に示すように、基端部２５ａがコマ玩具保持部２１ｂの後方において突出した状態となっている。このとき、スライドバー２５は挟持部材２４が保持する円板部１３を押圧していない。この状態でスライドバー２５の基端部２５ａを前方に押し込み操作すると、図９（ｂ）に示すように、スライドバー２５の突端部２５ｂが設置開口部２１ｃの内部に進入し、挟持部材２４が保持する円板部１３を前方に押し出すようになっている。なお、円板部１３に接触するスライドバー２５の突端部２５ｂは、円板部１３の形状に沿うように円弧状に形成されている。
【００４２】
固定用部材２７は、上カバー部材２２と下カバー部材２３との間で固定される部材であり、挟持部材固定溝２７ａや付勢部材配置溝２７ｂを備えている。挟持部材固定溝２７ａは、ケース内部において挟持部材２４を固定するためのものであり、付勢部材配置溝２７ｂは、ケース内部において付勢部材２６を配置させるためのものである。
【００４３】
上記した構成により、本実施形態に係るコマ玩具セット１０は、以下の手順でコマ玩具１１を発射できるように形成されている。
【００４４】
すなわち、まず、発射台２１の設置開口部２１ｃの上方からコマ玩具１１を押し込んでセットする。これにより、挟持部材２４がコマ玩具１１の円板部１３を保持する。このとき、図８に示すように、コマ玩具１１の円板部１３以外の部分（コマ本体１２）は発射台２１に接触していない。
【００４５】
そして、発射台２１のラック挿入部２２ｂからベルト体３０のラックギア３１を挿入する。ラックギア３１を挿入したら、ベルト体３０を発射台２１から勢いよく引き抜き、コマ本体１２に回転力を付与する。
【００４６】
その後、スライドバー２５を押し込み操作すれば、スライドバー２５が円板部１３を前方に押し出すことで円板部１３が挟持部材２４から離脱し、コマ玩具１１が前方へと発射される。
【００４７】
以上説明したように、本実施形態によれば、コマ玩具発射装置２０が、コマ本体１２に回転力を付与するラックギア３１と、円板部１３を保持するための挟持部材２４と、挟持部材２４に保持された円板部１３を押し出して挟持部材２４から離脱させるスライドバー２５と、を備えているため、挟持部材２４により円板部１３を保持した状態でラックギア３１によって回転力を付与し、その後にスライドバー２５により円板部１３を押し出して挟持部材２４から離脱させることで、回転力の付与後にコマ玩具１１を発射することができるので、コマ玩具１１を意図した位置及び方向に狙い澄まして発射することができる。
【００４８】
また、円板部１３はコマ本体１２とは別体で回転可能に設けられているため、挟持部材２４により円板部１３を保持した状態であってもコマ本体１２の回転を妨げることがないように形成されている。しかも、スライドバー２５は円板部１３を押し出すようになっており、言い換えるとコマ本体１２に接触しないので、コマ本体１２の回転力を弱めることなくコマ玩具１１を発射することができる。
【００４９】
また、挟持部材２４は、円板部１３の外周を保持するＣ字状部２４ａと、Ｃ字状部２４ａの両端部から円板部１３の離脱方向に延設されたガイド部２４ｄと、を備えている。このため、ガイド部２４ｄによってコマ玩具１１が発射方向に誘導されるので、コマ玩具１１をまっすぐに意図した方向に発射することができる。
【００５０】
また、Ｃ字状部２４ａには、円板部１３を上下から挟持するための上部フランジ２４ｂと下部フランジ２４ｃとが設けられている。このため、円板部１３を上部フランジ２４ｂと下部フランジ２４ｃとで確実に保持することができる。
【００５１】
また、コマ玩具発射装置２０のラックギア３１がコマ本体１２のピニオンギア１２ｃに噛合した状態で操作されることでコマ本体１２に回転力を付与可能であるため、シンプルな構成で上記したような構成を実現することができる。
【符号の説明】
【００５２】
１０  コマ玩具セット
１１  コマ玩具
１２  コマ本体
１２ａ  頭部
１２ｂ  回転軸
１２ｃ  ピニオンギア
１３  円板部
２０  コマ玩具発射装置
２１  発射台
２１ａ  ハンドル部
２１ｂ  コマ玩具保持部
２１ｃ  設置開口部
２２  上カバー部材
２２ａ  切欠部
２２ｂ  ラック挿入部
２３  下カバー部材
２４  挟持部材（円板保持手段）
２４ａ  Ｃ字状部
２４ｂ  上部フランジ
２４ｃ  下部フランジ
２４ｄ  ガイド部
２４ｅ  固定部
２４ｆ  傾斜面
２５  スライドバー（円板部押出手段）
２５ａ  基端部
２５ｂ  突端部
２６  付勢部材
２７  固定用部材
２７ａ  挟持部材固定溝
２７ｂ  付勢部材配置溝
３０  ベルト体
３１  ラックギア（回転力付与手段）
３２  取っ手
３３  先端部
【図１】
2014090952.tif 000003
【図２】
2014090952.tif 000004
【図３】
2014090952.tif 000005
【図４】
2014090952.tif 000006
【図５】
2014090952.tif 000007
【図６】
2014090952.tif 000008
【図７】
2014090952.tif 000009
【図８】
2014090952.tif 000010
【図９】
2014090952.tif 000011